(57)【要約】【課題】解像度が同じである液晶パネルに画像を表示させる際に、液晶パネルの特性に拘わらず駆動回路を完全共通化することにより開発期間を短縮したり、在庫管理を単純化したり、歩留まりを向上したりすることができる液晶駆動装置を提供する。【解決手段】液晶パネル２６の特性によって相違する回路部分である内部電源回路（階調決定回路）３０を、ソース側ドライバーＩＣ４０が折り曲げ可能なフィルムに直に実装されたチップオンフィルム４１を介して液晶パネル２６と接続されるソース基板４２に搭載し、液晶パネル２６の特性によって相違する回路部分であるゲートシェーディング回路３１が必要な場合には、そのゲートシェーディング回路３１を、ゲート側ドライバーＩＣ４３が折り曲げ可能なフィルムに直に実装されたチップオンフィルム４４を介して液晶パネル２６と接続されるゲート基板４５に搭載する。【選択図】図４
2008292575.tif 000002
【特許請求の範囲】
【請求項１】
元画像データに対して液晶パネルのマトリクス状に配列された画素数に合わせたスケーリング処理を行い、該液晶パネルに表示する１画面分の画像データを生成すると共に、該１画面分の画像データに対して輝度補正、コントラスト調整、彩度補正を行った上で、処理後の画像データを出力する駆動回路と、
上記処理後の画像データを基に上記液晶パネルにおける主走査方向である水平方向に並ぶ一列分の各画素に対する駆動電圧を生成するソース回路と、
上記液晶パネルにおける副走査方向である垂直方向に沿って、順次、上記水平方向に並ぶ各列を上記駆動電圧の供給対象とさせるゲート回路とを備え、
元画像データに基づいて解像度が同じである上記液晶パネルに画像を表示させる液晶駆動装置において、
上記ソース回路と上記ゲート回路とは、
上記液晶パネルと共に液晶モジュールを構成しており、
上記駆動回路と上記液晶モジュールとが電気的に接続されることにより上記処理後の画像データが入力されるものであり、
上記液晶パネルに画像を表示させる際に該液晶パネルの特性によって相違する回路部分を、上記ソース回路および上記ゲート回路の少なくとも一方に構成することを特徴とする液晶駆動装置。
【請求項２】
上記液晶パネルの特性によって相違する回路部分は、上記ソース回路にて上記液晶パネルの各画素における階調を決定することになる所定の階調電圧を生成する階調決定回路であり、
上記階調決定回路は、上記ソース回路に構成されることを特徴とする請求項１に記載の液晶駆動装置。
【請求項３】
上記液晶パネルの特性によって相違する回路部分は、上記ゲート回路にて上記水平方向に並ぶ同一列上において上記駆動電圧の供給対象とするタイミングのずれを低減するためのゲートシェーディング回路の有無であり、
上記ゲートシェーディング回路が必要な場合には、該ゲートシェーディング回路は、上記ゲート回路に構成されることを特徴とする請求項１または２に記載の液晶駆動装置。
【請求項４】
上記液晶パネルの特性によって相違する回路部分は、画像を表示するエリアの大きさの違いによって変える必要がある回路部分であることを特徴とする請求項１乃至３の何れかに記載の液晶駆動装置。
【請求項５】
上記ソース回路は、ソース側ドライバーＩＣと該ソース側ドライバーＩＣが折り曲げ可能なフィルムに直に実装されたチップオンフィルムを介して上記液晶パネルと接続されるソース基板とに搭載された回路であり、
上記ゲート回路は、ゲート側ドライバーＩＣと該ゲート側ドライバーＩＣが折り曲げ可能なフィルムに直に実装されたチップオンフィルムを介して上記液晶パネルと接続されるゲート基板とに搭載された回路であり、
上記駆動回路は、上記液晶モジュールと電気的に接続される駆動基板に搭載された回路であり、
上記階調決定回路は、上記ソース基板に搭載され、
上記ゲートシェーディング回路が必要な場合には、該ゲートシェーディング回路は、上記ゲート基板に搭載され、
フロントキャビネットとリアキャビネットとから構成される筐体に上記液晶パネルと共に収納されて液晶表示装置を構成することを特徴とする請求項４に記載の液晶駆動装置。 
【発明の詳細な説明】
【技術分野】
【０００１】
本発明は、液晶駆動装置に係り、特に、解像度が同じである液晶パネルに画像を表示させる際に液晶パネルの特性によって相違する回路を搭載する場合に関する。
【背景技術】
【０００２】
水平方向に複数配列されそれぞれ垂直方向に伸びる信号ラインと垂直方向に複数配列されそれぞれ水平方向に伸びる走査ラインとが例えばガラス基板上に配置され、信号ラインと走査ラインとの交差点に対応して液晶物質が充填された画素がマトリックス状に設けられている液晶パネルがよく知られている。このような液晶パネルは、元画像データに対して液晶パネルに合わせた所定の処理を行って処理後の画像データを出力する駆動回路と、処理後の画像データを基に液晶パネルにおける水平方向に並ぶ一列分の各画素に対する駆動電圧を生成するソース回路と、液晶パネルにおける垂直方向に沿って、順次、水平方向に並ぶ走査ラインを駆動電圧の供給対象とさせるゲート回路とを備える液晶駆動装置により、元画像データに基づいて画像が表示させられる。
【０００３】
ここで、液晶駆動装置は、開発工数や生産コスト等を考慮すれば液晶パネルの差異に拘わらずできるだけ汎用的に使用できることが望まれており、そのような液晶駆動装置が種々提案されている。
【０００４】
例えば、特許文献１には、ダミー出力情報を書き換えることにより大きさが異なるディスプレイパネルに共用して使用することができるデジタルディスプレイの信号処理回路及び信号処理方法が開示されている。
【０００５】
また、特許文献２には、表示データメモリの容量を２分割できるようにしておき、デュアルスキャンでの多階調の場合とシングルスキャンでの低階調の場合とでその表示データメモリのアドレス方法を切換回路によって切り換えることにより、階調数の異なる表示方式であっても同じ液晶駆動装置を使用することが可能となることが開示されている。
【０００６】
また、特許文献３には、液晶パネルの差異に合わせて回路を構成する例として、ゲートドライバからの距離の差によって生じる同一走査線上における画素選択のタイミングずれを低減する為のゲートシェーディング回路を搭載することにより表示パネルのちらつきを低減することができる電源供給方法、電源回路、表示装置、および携帯機器が開示されている。
【特許文献１】特開２００２−２７８４９２号公報
【特許文献２】特開２００３−１５６１１号公報
【特許文献３】特開２００６−１２６７８１号公報
【発明の開示】
【発明が解決しようとする課題】
【０００７】
ところで、液晶駆動装置のうちソース回路およびゲート回路と液晶パネルとで液晶モジュールを構成し、その液晶モジュールと駆動回路とを電気的に接続する場合がある。このような場合、ソース回路およびゲート回路においては元々液晶パネルに合わせて設計する必要があり汎用的に使用することは難しい。そこで、駆動回路を汎用的に使用することが望まれる。より好適には、調整の余地を残した汎用的なものでなく完全共通化できることが望ましい。しかしながら、液晶パネルの差異に拘わらず駆動回路を完全共通化することについては未だ提案されていない。
【０００８】
本発明は上記課題に鑑みて為されたもので、その目的とするところは、解像度が同じである液晶パネルに画像を表示させる際に、液晶パネルの特性に拘わらず駆動回路を完全共通化することにより開発期間を短縮したり、在庫管理を単純化したり、歩留まりを向上したりすることができる液晶駆動装置を提供することにある。
【課題を解決するための手段】
【０００９】
上記目的を達成するための請求項１に記載の発明は、元画像データに対して液晶パネルのマトリクス状に配列された画素数に合わせたスケーリング処理を行い、該液晶パネルに表示する１画面分の画像データを生成すると共に、該１画面分の画像データに対して輝度補正、コントラスト調整、彩度補正を行った上で、処理後の画像データを出力する駆動回路と、上記処理後の画像データを基に上記液晶パネルにおける主走査方向である水平方向に並ぶ一列分の各画素に対する駆動電圧を生成するソース回路と、上記液晶パネルにおける副走査方向である垂直方向に沿って、順次、上記水平方向に並ぶ各列を上記駆動電圧の供給対象とさせるゲート回路とを備え、元画像データに基づいて解像度が同じである上記液晶パネルに画像を表示させる液晶駆動装置において、上記ソース回路と上記ゲート回路とは、上記液晶パネルと共に液晶モジュールを構成しており、上記駆動回路と上記液晶モジュールとが電気的に接続されることにより上記処理後の画像データが入力されるものであり、上記液晶パネルに画像を表示させる際に該液晶パネルの特性によって相違する回路部分を、上記ソース回路および上記ゲート回路の少なくとも一方に構成することにある。
【００１０】
上記のように構成された本発明の液晶駆動装置において、解像度が同じである液晶パネルに画像を表示させる際にその液晶パネルの特性によって相違する回路部分が、元々液晶パネルに合わせて設計する必要があるソース回路およびゲート回路の少なくとも一方に構成される。よって、液晶パネルと共にソース回路およびゲート回路により構成される液晶モジュールに電気的に接続される駆動回路には液晶パネルの特性によって相違する回路部分が構成されないことから、液晶パネルの特性に拘わらず駆動回路を完全共通化することが可能になる。
【００１１】
また、請求項２に記載の発明は、請求項１に記載の液晶駆動装置において、上記液晶パネルの特性によって相違する回路部分は、上記ソース回路にて上記液晶パネルの各画素における階調を決定することになる所定の階調電圧を生成する階調決定回路であり、上記階調決定回路は、上記ソース回路に構成されることにある。
【００１２】
上記のように構成された請求項１に記載の液晶駆動装置において、液晶パネルに表示したい階調が同じであっても液晶パネル（セル）の透過率等の液晶パネルの特性によって異なる可能性がある階調電圧を生成する為の階調決定回路がソース回路に構成されることから、駆動回路には液晶パネルの特性によって相違する階調決定回路が構成されない。
【００１３】
また、請求項３に記載の発明は、請求項１または２に記載の液晶駆動装置において、上記液晶パネルの特性によって相違する回路部分は、上記ゲート回路にて上記水平方向に並ぶ同一列上において上記駆動電圧の供給対象とするタイミングのずれを低減するためのゲートシェーディング回路の有無であり、上記ゲートシェーディング回路が必要な場合には、該ゲートシェーディング回路は、上記ゲート回路に構成されることにある。
【００１４】
上記のように構成された請求項１または２に記載の液晶駆動装置において、ゲート回路からの距離の差により生じる駆動電圧の供給対象のタイミングずれによって液晶パネルの表示にむらが出る場合には、液晶パネルの表示むらを低減する為のゲートシェーディング回路がゲート回路に構成されることから、駆動回路には液晶パネルの特性によって相違するゲートシェーディング回路が構成されない。
【００１５】
また、請求項４に記載の発明は、請求項１乃至３の何れかに記載の液晶駆動装置において、上記液晶パネルの特性によって相違する回路部分は、画像を表示するエリアの大きさの違いによって変える必要がある回路部分である。
【００１６】
上記のように構成された請求項１乃至３の何れかに記載の液晶駆動装置において、画像を表示するエリアの大きさの違いによって変える必要がある回路部分が駆動回路には構成されないことから、同解像度でインチ数が異なる液晶パネルに拘わらず駆動回路を完全共通化することが可能になる。
【００１７】
また、請求項５に記載の発明は、請求項４に記載の液晶駆動装置において、上記ソース回路は、ソース側ドライバーＩＣと該ソース側ドライバーＩＣが折り曲げ可能なフィルムに直に実装されたチップオンフィルムを介して上記液晶パネルと接続されるソース基板とに搭載された回路であり、上記ゲート回路は、ゲート側ドライバーＩＣと該ゲート側ドライバーＩＣが折り曲げ可能なフィルムに直に実装されたチップオンフィルムを介して上記液晶パネルと接続されるゲート基板とに搭載された回路であり、上記駆動回路は、上記液晶モジュールと電気的に接続される駆動基板に搭載された回路であり、上記階調決定回路は、上記ソース基板に搭載され、上記ゲートシェーディング回路が必要な場合には、該ゲートシェーディング回路は、上記ゲート基板に搭載され、フロントキャビネットとリアキャビネットとから構成される筐体に上記液晶パネルと共に収納されて液晶表示装置を構成することにある。
【００１８】
上記のように構成された請求項４に記載の液晶駆動装置において、解像度が同じである液晶パネルに画像を表示させる液晶表示装置において、階調決定回路が元々液晶パネルに合わせて設計する必要があるソース基板に搭載され、ゲートシェーディング回路が元々液晶パネルに合わせて設計する必要があるゲート基板に搭載される。よって、液晶モジュールに電気的に接続される駆動基板には液晶パネルの特性によって相違する回路部分である階調決定回路およびゲートシェーディング回路が搭載されないことから、液晶パネルの特性に拘わらず駆動基板を完全共通化することが可能になる。
【発明の効果】
【００１９】
以上説明したように、請求項１に記載の発明によれば、液晶パネルの特性に拘わらず駆動回路を完全共通化することが可能になるので、開発期間の短縮、在庫管理の単純化、歩留まりが良くなる等の効果が期待できる。開発期間の短縮については、例えば駆動基回路を液晶パネルの特性に合わせてその都度設計する必要がないのはもちろんのこと、ＥＭＩ対策等を検討する必要もなくなる。また、ソース回路およびゲート回路は、液晶モジュールを構成する場合に元々液晶パネルに合わせて設計する必要があるので、液晶パネルの特性によって相違する回路部分が構成されても上記効果を相殺することは抑制される。
【００２０】
また、請求項２に記載の発明によれば、駆動回路には液晶パネルの特性によって相違する階調決定回路が構成されないので、液晶パネルの特性に拘わらず駆動回路を完全共通化することが可能になる。
【００２１】
また、請求項３に記載の発明によれば、駆動回路には液晶パネルの特性によって相違するゲートシェーディング回路が構成されないので、液晶パネルの特性に拘わらず駆動回路を完全共通化することが可能になる。
【００２２】
また、請求項４に記載の発明によれば、同解像度でインチ数が異なる液晶パネルに拘わらず駆動回路を完全共通化することが可能になるので、同解像度でインチ数が異なる液晶パネルを用いたときに開発期間の短縮、在庫管理の単純化、歩留まりが良くなる等の効果が期待できる。
【００２３】
また、請求項５に記載の発明によれば、液晶表示装置において、液晶パネルの特性に拘わらず駆動基板を完全共通化することが可能になるので、開発期間の短縮、在庫管理の単純化、歩留まりが良くなる等の効果が期待できる。例えば、駆動基板を液晶パネルの特性に合わせてその都度設計する必要がないのはもちろんのこと、ＥＭＩ対策等を検討する必要もなくなる。また、ソース基板およびゲート基板は、液晶モジュールを構成する場合に元々液晶パネルに合わせて設計する必要があるので、階調決定回路やゲートシェーディング回路が搭載されても上記効果は相殺されない。
【発明を実施するための最良の形態】
【００２４】
以下、下記の項目に従って本発明の実施形態を図面を参照しつつ説明する。
（１）液晶駆動装置を備える液晶表示装置の概略構成
（２）液晶モジュールの構成
（３）液晶駆動装置の構成
（４）まとめ
【００２５】
（１）液晶駆動装置を備える液晶表示装置の概略構成
以下、図１、２を参照して本発明が適用される液晶駆動装置を備える液晶表示装置１０の概略構成を説明する。図１は液晶表示装置１０の斜視図であり、図２は液晶表示装置１０のブロック構成図である。図１、２において、液晶表示装置１０は、液晶モジュール１１と、筺体１２とを主体として構成されている。
【００２６】
液晶モジュール１１は、液晶パネル２６等を収納し、液晶パネル２６の表示面とは反対側となる背面、および上下左右側面を板金で覆われた厚みの薄い構造である。また、液晶モジュール１１にはその補強として、液晶モジュール１１の背面に柱状のシャーシブラケット１３ａ、１３ｂがネジ止めされている。さらに、液晶モジュール１１の背面には、電源回路２３等の駆動回路２０が実装されつつ液晶モジュール１１と電気的に接続された駆動基板１４が固定されている。
【００２７】
筺体１２は、フロントキャビネット１２ａとリアキャビネット１２ｂとから構成されている。フロントキャビネット１２ａは、前面に映像を表示するための開口部を有しており、液晶モジュール１１がこのフロントキャビネット１２ａにネジ止めされた後、フロントキャビネット１２ａにリアキャビネット１２ｂが組み付けられることにより液晶表示装置１０を構成する各構成品を収容する。
【００２８】
駆動回路２０は、概略、映像回路２１と、タイミングコントローラ２２と、電源回路２３と、マイコン２４と、インバータ回路２５とを備えている。また、液晶モジュール１１は、液晶パネル２６と、ソース回路２７と、ゲート回路２８と、バックライト２９とから構成されている。
【００２９】
電源回路２３は、外部の商用電源等から電源電圧（交流）の供給を受けるとともに、同供給された電源電圧を、マイコン２４を始めインバータ回路２５等の各回路へ供給する。電源回路２３は、必要に応じて各回路へ供給する電圧を交流から直流へと変換する。
【００３０】
マイコン２４は、液晶表示装置１０を構成する各部と電気的に接続されており、マイコン２４内部の構成部品としてのＣＰＵ２４ａが、同じくマイコン２４内の構成部品であるＲＯＭ２４ｂやＲＡＭ２４ｃなどに書き込まれた各プログラムに従って、液晶表示装置１０全体を制御する。
【００３１】
映像回路２１は、入力された元画像データ例えばＲＧＢ（レッド、グリーン、ブルー）信号からなるデジタル画像データに対して液晶パネル２６のマトリクス状に配列された画素数（横縦比、ｍ：ｎ）に合わせたスケーリング処理を行い、液晶パネル２６に表示する１画面分の画像データを生成する。さらに、この画像データに対して、輝度補正、コントラスト調整、彩度補正等の各種処理を行った上で、処理後の画像データを出力する。尚、上記ＲＧＢ信号からなるデジタル画像データは、任意の画像を表現する基となる映像信号から抽出された輝度信号と色差信号とに基づいてマトリクス変換処理が行われて生成された画像データであったり、マイコン等により生成された画像データ等である。また、上記映像信号は、例えば公知のアンテナによって受信されたテレビジョン放送信号から公知のチューナ回路によって抽出された映像信号や映像再生機器から出力された映像信号等である。
【００３２】
タイミングコントローラ２２は、映像回路２１から供給されたＲＧＢ信号からなる画像データや、マイコン２４から供給されたソース回路２７及びゲート回路２８を制御するための制御信号等に従って、ソース回路２７、ゲート回路２８等を制御する。より具体的には、タイミングコントローラ２２は、ソース回路２７及びゲート回路２８に対して、例えば動作モードの設定や内部で生成した垂直同期信号や水平同期信号の供給を行う。
【００３３】
タイミングコントローラ２２は、画像データが供給された場合、この画像データをＲＡＭに保持する。また同様に制御信号が供給された場合、タイミングコントローラ２２はＲＡＭに制御信号を保持する。そして、ＲＯＭに設定された内容に従って、クロック信号を生成する。また、クロック信号により生成された表示タイミングによりＲＡＭに記憶された画像データから所定の形式の画像データを生成し、ソース回路２７に供給する。例えば、タイミングコントローラ２２に一画面単位の画像データが入力されると、タイミングコントローラ２２はクロック信号と水平同期信号と垂直同期信号とを生成する。次に、タイミングコントローラ２２は、画像データとクロック信号と水平同期信号をソース回路２７に、クロック信号と垂直同期信号とをゲート回路２８に出力する。
【００３４】
インバータ回路２５は、電源回路２３から供給された直流電圧を交流電圧に変換し、駆動信号としてのその交流電圧をバックライト２９に供給し、バックライト２９を点灯させる。
【００３５】
ソース回路２７およびゲート回路２８は、駆動回路２０から出力された画像データに基づいて制御されて液晶パネル２６を駆動することにより、液晶パネル２６に画像データに応じた画像を表示させる。バックライト２９は、液晶パネル２６を背面側から照射する光源であり、例えば複数本の冷陰極管等を有する。このように、駆動回路２０、ソース回路２７、ゲート回路２８は、元画像データに基づいて液晶パネル２６に画像を表示させる液晶駆動装置１５を構成する。
【００３６】
（２）液晶モジュールの構成
以下に液晶モジュール１１の構成を詳細に説明する。図３は、液晶モジュール１１のブロック構成図である。図３において、液晶モジュール１１は、液晶パネル２６等に加え、内部電源回路３０と、ゲートシェーディング回路３１とを備えている。
【００３７】
液晶パネル２６は、例えばアクティブマトリクス駆動方式のパネルであり、液晶物質が充填された複数の画素３２で構成されたパネルの背面にガラス基板が配置されている。このガラス基板上には、垂直方向に複数配列されそれぞれ水平方向に伸びる走査ラインＧ１〜ＧＮ（Ｎは、２以上の自然数）と、水平方向に複数配列されそれぞれ垂直方向に伸びる信号ラインＳ１〜ＳＭ（Ｍは、２以上の自然数）とが配置されている。また、走査ラインＧｎ３３（１≦ｎ≦Ｎ、ｎは自然数）と信号ラインＳｍ３４（１≦ｍ≦Ｍ、ｍは自然数）との交差点に対応して、液晶物質が充填された画素３２がマトリックス状に設けられている。
【００３８】
画素３２には電界効果トランジスター３５が含まれている。電界効果トランジスター３５のゲート電極３５ａは走査ラインＧｎ３３に接続され、電界効果トランジスター３５のソース電極３５ｂは信号ラインＳｍ３４に接続され、電界効果トランジスター３５のドレイン電極３５ｃはキャパシタで構成された画素電極３６と接続されている。さらに、画素電極３６は液晶パネル２６の各画素３２と接続されている。上記構造において電界効果トランジスター３５は信号ラインＳｍ３４に印加された駆動電圧を画素電極３６に印加するスイッチとしての役割を果たす。
【００３９】
画素電極３６が接続された液晶パネル２６の各画素３２は、対向電極３７と接続されており、画素電極３６に対向する対向電極３７との間の印加電圧に応じて各画素３２に充填された液晶物質の透過率が変化させられるようになっている。
【００４０】
ソース回路２７は、タイミングコントローラ２２から入力された画像データを基に液晶パネル２６における主走査方向である水平方向に並ぶ一列分の各画素３２に対する駆動電圧を生成し、信号ラインＳｍ３４にその駆動電圧を印加する。例えば、ソース回路２７は、複数のフリップフロップを有しており、これらフリップフロップからタイミングコントローラ２２で生成されたクロック信号と水平同期信号が入力される。このソース回路２７は、タイミングコントローラ２２が出力するクロック信号に同期して画像データを出力するためのイネーブル入出力信号を保持すると、順次クロック信号に同期して隣接するフリップフロップにイネーブル入出力信号を入力する。
【００４１】
また、ソース回路２７は、タイミングコントローラ２２から例えば１８ビット（６ビット（階調データ）×３（ＲＧＢ各色））単位で画像データが入力され、この画像データを、各フリップフロップで順次入力されたイネーブル入出力信号に同期してラッチする。さらに、ソース回路２７は、タイミングコントローラ２２から供給される水平同期信号に同期して、ラッチした一水平走査単位の画像データをラッチする。
【００４２】
また、ソース回路２７は、信号ラインＳｍ３４ごとに、ラッチされた画像データに基づいてアナログ化された駆動電圧を生成する。ソース回路２７が上記画像データを変換する方法として、内部電源回路３０により生成された階調電圧を用いてディジタル／アナログ変換を行う。そして、ソース回路２７は、生成した駆動電圧を信号ラインＳｍ３４に印加する。
【００４３】
ゲート回路２８は、タイミングコントローラ２２からの信号に基づいて、液晶パネル２６における副走査方向である垂直方向に沿って、順次、水平方向に並ぶ各走査ラインＧｎ３３をソース回路２７による駆動電圧の供給対象とさせる。例えば、ゲート回路２８には、各走査ラインＧｎ３３に対応して設けられたフリップフロップにタイミングコントローラ２２からのクロック信号と垂直同期信号が順次入力される。このゲート回路２８は、内部電源回路３０から２種類の走査ライン駆動信号が入力され、クロック信号に同期して走査ライン駆動信号をフリップフロップに保持する。さらに、ゲート回路２８は垂直同期信号に同期して隣接するフリップフロップに走査ライン駆動信号をシフトする。
【００４４】
また、ゲート回路２８は、液晶パネル２６の液晶物質に応じた電圧レベルに走査ライン駆動信号をシフトする。そのシフトした２種類の走査ライン駆動信号に基づいてＣＭＯＳ駆動を行う。このとき、内部電源回路３０から入力される２種類の走査ライン駆動信号のうち、第一の走査ライン駆動信号がに入力されると、走査ライン駆動信号を走査ラインＧｎ３３に出力する。また、第二の走査ライン駆動信号が入力されると、走査ライン駆動信号の出力を止める。
【００４５】
内部電源回路３０は、電源回路２３から供給される電源電圧に基づいて、液晶パネル２６の液晶駆動に必要な電圧レベルや、上記したソース回路２７での駆動電圧に使用される階調電圧や、ゲート回路２８による走査ラインＧｎ３３のオンオフ制御に使用される２種類の走査ライン駆動信号を生成する。
【００４６】
このように内部電源回路３０は、ソース回路２７にて液晶パネル２６の各画素３２における階調を決定することになる所定の階調電圧を生成する階調決定回路である。例えば、電源回路２３から供給される電源電圧に基づいて階調決定抵抗による分圧によって各階調電圧が生成される。また、この階調電圧は、液晶パネル２６に表示したい階調が同じであっても画素３２の透過率等の液晶パネル２６の特性によって異なる可能性がある。従って、この内部電源回路３０は、液晶パネル２６の特性によって相違する回路部分でもある。
【００４７】
ゲートシェーディング回路３１は、ゲート回路２８にて水平方向に並ぶ同一走査ラインＧｎ３３上においてソース回路２７による駆動電圧の供給対象とするタイミングのずれを低減するための回路である。ゲート回路２８からの距離が遠くなるほどゲート回路２８の出力波形の立ち上がりが遅れて画素３２の充電時間が短くなり、立ち下がり時間が長くなって画素３２に駆動電圧が印可されることにより、正しい表示ができなくなる。特に、ゲート回路２８からの距離の差により生じる駆動電圧の供給対象のタイミングずれによって液晶パネル２６の表示にむらが出る可能性がある。そこで、ゲートシェーディング回路３１は、立ち下がりのタイミングを均一化して液晶パネルの表示むらを低減する。
【００４８】
従って、液晶パネル２６のインチ数が小さくタイミングずれが生じにくいときには、このゲートシェーディング回路３１を搭載する必要はない。また、液晶パネル２６のインチ数が大きくても液晶パネル２６の両側にゲート回路２８を設けてその両側から半分ずつ駆動することでタイミングずれが生じにくいときにも、このゲートシェーディング回路３１を搭載する必要はない。例えば、３２インチ程度で片側駆動であるときはゲートシェーディング回路３１が必要とされるが、３７インチ程度で両側駆動であるときはゲートシェーディング回路３１が必要とされない。このように、ゲートシェーディング回路３１の有無は、液晶パネル２６の特性によって相違する回路部分でもある。
【００４９】
解像度が同じ液晶パネル２６であるなら画像を表示するエリアの大きさ（インチ数）の違いによって階調電圧やゲートシェーディング回路３１の有無が異なる可能性が大きい。このように、液晶パネル２６の特性によって相違する回路部分は、液晶パネル２６のインチ数の違いによって変える必要がある回路部分であるという見方もできる。
【００５０】
（３）液晶駆動装置の構成
以下、図４を参照して液晶駆動装置１５の構成を詳細に説明する。図４は、液晶表示装置１０内の各回路が実装された様子を表す概略図である。
【００５１】
図４において、ソース回路２７は、ソース側ドライバーＩＣ４０と、ソース側ドライバーＩＣ４０が折り曲げ可能なフィルムに直に実装されたチップオンフィルム（ＣＯＦ）４１を介して液晶パネル２６と接続されるソース基板４２とに搭載された回路である。また、ゲート回路２８は、ゲート側ドライバーＩＣ４３と、ゲート側ドライバーＩＣ４３が折り曲げ可能なフィルムに直に実装されたチップオンフィルム４４を介して液晶パネル２６と接続されるゲート基板４５とに搭載された回路である。また、駆動回路２０は、液晶モジュール１１と電気的に接続される駆動基板１４に搭載された回路である。そして、内部電源回路３０はソース基板４２に搭載され、ゲートシェーディング回路３１が必要な場合にはそのゲートシェーディング回路３１はゲート基板４５に搭載される。
【００５２】
このように、元々液晶パネル２６に合わせて設計する必要があるソース基板に内部電源回路３０が搭載され、元々液晶パネル２６に合わせて設計する必要があるゲート基板４５にゲートシェーディング回路３１が搭載される。そして、解像度が同じである液晶パネル２６であれば、その液晶パネル２６に画像を表示させる際に液晶パネル２６の特性によって相違する回路部分が、ソース基板４２およびゲート基板４５に構成されるので、駆動基板１４を完全共通化することができる。
【００５３】
尚、ソース基板４２およびゲート基板４５は例えばグランドが揺れやすいことから、ソース基板４２およびゲート基板４５にはバイパスコンデンサ、ダンピング抵抗、終端抵抗等を搭載し、内部電源回路３０やゲートシェーディング回路３１を駆動基板１４に搭載していたという事情を考慮するなら、ソース基板４２およびゲート基板４５はグランドが揺れないようにより多層の基板構成として一層乃至複数の層を一面グランドとするなどしても良い。
【００５４】
尚、内部電源回路３０を含めてソース回路２７を構成しても良いし、ゲートシェーディング回路３１を含めてゲート回路２８を構成しても良い。また、内部電源回路３０やゲートシェーディング回路３１は、ソース基板４２およびゲート基板４５の何れか一方に搭載されれば良い。
【００５５】
上記のように構成された液晶表示装置１０において、駆動回路２０から出力された画像データはソース回路２７により所定の電圧値を有するアナログ信号に変換された後、液晶パネル２６のマトリクス状に配列させられた各画素に印加され、画素に充填される液晶物質の分子配列を変化させてＲＧＢ信号からなる元画像データに基づいて液晶駆動装置１５は液晶パネル２６に画像を表示する。
【００５６】
（４）まとめ
上述のように、本実施例によれば、液晶パネル２６の特性に拘わらず駆動基板１４（駆動回路２０）を完全共通化することが可能になるので、開発期間の短縮、在庫管理の単純化、歩留まりが良くなる等の効果が期待できる。開発期間の短縮については、例えば、駆動基板１４（駆動回路２０）を液晶パネル２６の特性に合わせてその都度設計する必要がないのはもちろんのこと、ＥＭＩ対策等を検討する必要もなくなる。また、ソース基板４２（ソース回路２７）およびゲート基板４５（ゲート回路２８）は、液晶モジュール１１を構成する場合に元々液晶パネルに合わせて設計する必要があるので、液晶パネル２６の特性によって相違する回路部分である内部電源回路（階調決定回路）３０やゲートシェーディング回路３１が搭載されても上記効果は相殺されない。
【００５７】
また、本実施例によれば、同解像度でインチ数が異なる液晶パネル２６に拘わらず駆動基板１４（駆動回路２０）を完全共通化することが可能になるので、同解像度でインチ数が異なる液晶パネル２６を用いたときに開発期間の短縮、在庫管理の単純化、歩留まりが良くなる等の効果が期待できる。
【００５８】
以上、本発明の実施例を図面に基づいて詳細に説明したが、上述したのはあくまでも一実施形態であり、本発明は当業者の知識に基づいて種々の変更、改良を加えた態様で実施することができる。
【図面の簡単な説明】
【００５９】
【図１】本発明が適用される液晶駆動装置を備える液晶表示装置の斜視図である。
【図２】液晶表示装置のブロック構成図である。
【図３】液晶モジュールのブロック構成図である。
【図４】液晶表示装置内の各回路が実装された様子を表す概略図である。
【符号の説明】
【００６０】
１０：液晶表示装置
１１：液晶モジュール
１２：筐体
１２ａ：フロントキャビネット
１２ｂ：リアキャビネット
１４：駆動基板
１５：液晶駆動装置
２０：駆動回路
２６：液晶パネル
２７：ソース回路
２８：ゲート回路
３０：内部電源回路（階調決定回路）
３１：ゲートシェーディング回路
３２：画素
４０：ソース側ドライバーＩＣ
４１：チップオンフィルム
４２：ソース基板
４３：ゲート側ドライバーＩＣ
４４：チップオンフィルム
４５：ゲート基板 
【図１】
2008292575.tif 000003
【図２】
2008292575.tif 000004
【図３】
2008292575.tif 000005
【図４】
2008292575.tif 000006